Podtech/llm-jp-corpus-v4-ja_patent huggingface dataset:
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
ゴルフボールであって、
前記ゴルフボールの中心に位置するコアと、
前記コアの外側を包囲し、表面に複数のディンプルを有するカバーであって、２ｍｍ以下の厚さを有するカバーと、
前記カバーの外側を更に包囲する塗装層であって、この塗装層は、ゴム弾性を有するとともに、０．２５以上の第１の損失正接（ｔａｎδ）を有する材料によって形成されており、１００μｍ以下の厚さを有する塗装層と
前記塗装層の外側を更に包囲するトップコートであって、６０μｍ以下の厚さを有するトップコートと
を含み、前記カバーを形成する材料が第２の損失正接を有し、前記第１の損失正接と前記第２の損失正接との差Ｔｄが０．１０以上であるゴルフボール。
【請求項２】
前記塗装層が、ＪＩＳ−Ｃ硬度で、７０以下の硬度を有する請求項１に記載のゴルフボール。
【請求項３】
前記塗装層を形成する材料が、７０ＭＰａ以下のヤング率を有する請求項１又は２に記載のゴルフボール。
【請求項４】
前記塗装層を形成する材料が、０．４５以上のポアソン比を有する請求項１〜３のいずれか一項に記載のゴルフボール。
【請求項５】
前記カバーが、アイオノマー樹脂を含む請求項１〜４のいずれか一項に記載のゴルフボール。
【請求項６】
前記カバーが、ショアＤ硬度で、４０以上の硬度を有する請求項１〜５のいずれか一項に記載のゴルフボール。
【請求項７】
前記塗装層が前記コアよりも硬度が低い請求項１〜６のいずれか一項に記載のゴルフボール。
【手続補正書】
【提出日】平成26年12月19日(2014.12.19)
【手続補正１】
【補正対象書類名】明細書
【補正対象項目名】００８８
【補正方法】変更
【補正の内容】
【００８８】
図１３に、装置１０ｂの一実施形態を示す。この実施形態は、溝２８がない点で、前述・図示の実施形態と異なる。装置１０ｂの内部空間を増やすために、装置１０ｂにおける上方端部２０側の部分の横方向寸法、すなわち、孔３４の「上流」側の横方向寸法を、装置１０ｂにおいて孔３２，３４が含まれる下方端部２２側の部分の横方向寸法よりも大きく設定してもよい。換言すれば、中空の細長い形状の本体１２は、「段差状」であってもよい。
【手続補正２】
【補正対象書類名】図面
【補正対象項目名】図１４
【補正方法】変更
【補正の内容】
【図１４】
2013001389.tif 000001
【手続補正書】
【提出日】平成27年4月28日(2015.4.28)
【手続補正１】
【補正対象書類名】特許請求の範囲
【補正対象項目名】請求項１
【補正方法】変更
【補正の内容】
【請求項１】
外側リムフランジを有するホイールに取り付けられる空気入り航空機タイヤであって、前記タイヤは、ラジアルカーカスと、トレッドと、低角度ベルト層を有するクラウン補強部材と、を有し、前記低角度ベルト層は、前記タイヤの赤道面に対して５°以下の角度に周方向に対して向けられた補強コードによって形成され、前記クラウン補強部材は、前記タイヤの赤道面に対して０°から４５°の間の角度に周方向に対して向けられたコードによって補強された前記低角度ベルト層の幅よりも小さい幅を有するジグザグベルト層をさらに有し、前記タイヤのＢ／Ｗ比は０．６よりも大きく０．７よりも小さい値を有し、Ｂをリムフランジ間の幅、Ｗを定格圧力の下での断面幅とし、Ｂ／ＢＷ比は０．８４から約１までの範囲にあり、ここでＢＷを最大ベルト幅とする、空気入り航空機タイヤ。
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
カーカスとベルト補強構造とを有する空気入りタイヤであって、
前記ベルト補強構造は、タイヤの中央円周方向平面に対して１０°以下の角度に配置された複数のコードを有する第１のベルト層と、前記第１のベルト層の半径方向外側に配置されたジグザグベルト補強構造と、を有しており、
前記ジグザグベルト補強構造は、複数のコードからなる２つの層を形成しており、前記複数のコードは、前記タイヤの中央平面に対して５°〜３０°に傾斜し、各側縁部の所の折り返し点まで交互に延びており、
前記第１のベルト層は前記ジグザグベルト補強構造よりも幅広く、定格圧力下における、車輪のフランジ間の幅ＷBFと膨張時の前記タイヤの断面幅Ｗとの比であるＷBF／Ｗが、０．６５から０．７の範囲内である、空気入りタイヤ。
【請求項２】
前記中央円周方向平面に対して１０°以下の角度に配置された複数のコードを有する第２のベルト層を有し、前記第２のベルト層の幅は前記ジグザグベルト補強構造よりも狭い、請求項１に記載の空気入りタイヤ。
【請求項３】
前記第２のベルト層は、前記第１のベルト層よりも狭い幅を有する、請求項２に記載の空気入りタイヤ。
【請求項４】
前記ベルト補強構造の中の前記第２のベルト層の幅Ｗ２と前記第１のベルト層の幅Ｗ１との比がおよそ０．４＜Ｗ２／Ｗ１＜０．６の範囲内である、請求項１に記載の空気入りタイヤ。
【請求項５】
カーカスとベルト補強構造とを有する空気入りタイヤであって、
前記ベルト補強構造は、タイヤの中央円周方向平面に対して１０°以下の角度に配置された複数のコードを有する第１のベルト層と、前記第１のベルト層の半径方向外側に配置されたジグザグベルト補強構造と、を有しており、
前記ジグザグベルト補強構造は、複数のコードからなる２つの層を形成しており、前記複数のコードは、前記タイヤの中央平面に対して５°〜３０°に傾斜し、各側縁部の所の折り返し点まで交互に延びており、
前記第１のベルト層は前記ジグザグベルト補強構造よりも幅広く、車輪のフランジ間の幅ＷBFとベルト幅ＢＷとの比であるＷBF／ＢＷが、約０．８４から約１．０の範囲内であることを特徴とする空気入りタイヤ。
【請求項６】
カーカスとベルト補強構造を有する空気入りタイヤであって、
前記ベルト補強構造は、各々が中央円周方向平面に対して１０°以下の角度に配置された複数のコードを有する、第１のベルト層および第２のベルト層と、前記第１のベルト層の半径方向外側に配置されたジグザグベルト補強構造と、を有し、
前記ジグザグベルト補強構造は、複数のコードからなる２つの層を形成しており、前記複数のコードは、前記タイヤの中央平面に対して５°〜３０°に傾斜し、各側縁部の所の折り返し点まで交互に延びており、
前記第１のベルト層は前記ジグザグベルト補強構造よりも幅広く、前記第２のベルト層の幅Ｗ２と前記第１のベルト層の幅Ｗ１との比がおよそ０．４＜Ｗ２／Ｗ１＜０．６の範囲内であることを特徴とする空気入りタイヤ。
【請求項７】
前記車輪のフランジ間の幅と前記ベルト補強構造の中の最も広いベルト層の幅との比であるＷＢＦ／ＢＷが約０．８４から約１の範囲内である、請求項１に記載の空気入りタイヤ。
【請求項８】
前記車輪のフランジ間の幅と前記ベルト補強構造の中の最も広いベルト層の幅との比であるＷBF／ＢＷが約０．８６から約０．９５の範囲内である、請求項１に記載の空気入りタイヤ。
【請求項９】
前記車輪のフランジ間の幅と前記ベルト補強構造の中の最も広いベルト層の幅との比であるＷBF／ＢＷが約０．８８から約０．９の範囲内である、請求項１に記載の空気入りタイヤ。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
乗員用酸素システムにおける酸素ボンベの酸素圧、大気温度及び操縦室温度を取得するステップと、
取得された前記酸素ボンベの酸素圧、前記大気温度及び前記操縦室温度に基づいて乗員酸素メッセージを生成するステップと、
前記乗員酸素メッセージを受信して、前記酸素ボンベにおける酸素の標準温度での圧力を取得するステップと、
前記乗員用酸素システムの性能を確定するステップと、を含む、
乗員用酸素システムの性能検出方法。
【請求項２】
離陸前の前記酸素ボンベにおける酸素の標準温度での圧力を取得するステップと、
着陸後の前記酸素ボンベにおける酸素の標準温度での圧力を取得するステップと、をさらに含む、請求項１記載の方法。
【請求項３】
前記酸素ボンベにおける酸素の標準温度での圧力Ｐｓと前記酸素ボンベの取付時間ｔｏの統計関係に基づいて、フィットカーブの傾きを確定するステップをさらに含む、請求項１記載の方法。
【請求項４】
前記フィットカーブの傾きβ２は下記式により算出し、
【数１】
2013001396.tif 000001
式中、
【数２】
2013001396.tif 000002
はtｏの平均値、
【数３】
2013001396.tif 000003
はＰｓの平均値、ｎはサンプリングポイントの個数である、請求項３記載の方法。
【請求項５】
所定の時間間隔の一組の移動平均漏れ率を算出するステップと、
算出された前記組の移動平均漏れ率を、対照用の他の一組の移動平均漏れ率と比較するステップと、
顕著な変化があるか否かを判定するステップと、
をさらに含む、請求項１記載の方法。
【請求項６】
前記組の移動平均漏れ率の分散と、対照用の他の一組の移動平均漏れ率の分散とを算出するステップと、
前記組の移動平均漏れ率の分散と対照用の他の一組の移動平均漏れ率の分散との比が従っているＦ分布に基づいて、顕著な変化があるか否かを判定するステップと、
をさらに含む、請求項５記載の方法。
【請求項７】
大気温度と操縦室温度に基づいて前記酸素ボンベにおける酸素の温度を取得するステップをさらに含み、
前記酸素ボンベにおける酸素の温度は下記式により算出し、
【数４】
2013001396.tif 000004
式中、Ｔａｔは大気温度又は機体外温度を示し、Ｔｃは操縦室温度を示し、ｋ１とｋ２は調整パラメータであり、かつｋ１+ｋ２=２を満たす、請求項１記載の方法。
【請求項８】
乗員用酸素システムにおける酸素ボンベの酸素圧、大気温度及び操縦室温度を取得するステップと、
取得された前記酸素ボンベの酸素圧、前記大気温度及び前記操縦室温度に基づいて乗員酸素メッセージを生成するステップと、を含む、
乗員酸素メッセージ生成方法。
【請求項９】
前記乗員用酸素システムにおける酸素ボンベの酸素圧、大気温度及び操縦室温度を取得するステップは、
離陸前の第１の時間の前記乗員用酸素システムにおける酸素ボンベの酸素圧、大気温度及び操縦室温度を取得するステップを含む、
請求項８記載の方法。
【請求項１０】
前記乗員用酸素システムにおける酸素ボンベの酸素圧、大気温度と操縦室温度を取得するステップは、
着陸後の第２の時間の前記乗員用酸素システムにおける酸素ボンベの酸素圧、大気温度及び操縦室温度を取得するステップを含む、
請求項８記載の方法。
【請求項１１】
乗員酸素圧データ取得装置と、
乗員酸素圧データ取得装置で取得された乗員用酸素システムにおける酸素ボンベの酸素圧と大気温度及び操縦室温度に基づいて、乗員酸素メッセージ伝送装置により転送される乗員酸素メッセージを生成する乗員酸素メッセージ生成装置と、
乗員酸素メッセージを受信して、前記酸素ボンベにおける酸素の標準温度での圧力を取得することにより、前記乗員用酸素システムの性能を確定する乗員酸素圧データ処理装置と、を含む、
乗員用酸素システムの性能検出システム。
【請求項１２】
乗員酸素圧データ取得装置は、乗員用酸素システムの高圧ステージに取り付けられた圧力センサを含む、請求項１１記載のシステム。
【請求項１３】
前記乗員酸素圧データ処理装置は、前記酸素ボンベにおける酸素の標準温度での圧力Ｐｓと前記酸素ボンベの取付時間ｔｏとの統計関係に基づいて、フィットカーブの傾きを確定する、請求項１１記載のシステム。
【請求項１４】
前記フィットカーブの傾きβ２は、下記式により算出し、
【数５】
2013001396.tif 000005
式中、
【数６】
2013001396.tif 000006
はｔｏの平均値を示し、
【数７】
2013001396.tif 000007
はＰｓの平均値を示し、ｎはサンプリングポイントの個数である、請求項１３記載のシステム。
【請求項１５】
前記乗員酸素圧データ処理装置は、所定の時間間隔の一組の移動平均漏れ率を算出し、算出された前記組の移動平均漏れ率を、対照用の他の一組の移動平均漏れ率と比較することにより、顕著な変化があるか否かを判定する、請求項１１記載のシステム。
【請求項１６】
前記乗員酸素圧データ処理装置は、前記組の移動平均漏れ率の分散と対照用の他の一組の移動平均漏れ率の分散を算出するとともに、前記組の移動平均漏れ率の分散と対照用の他の一組の移動平均漏れ率の分散との比が従っているＦ分布に基づいて顕著な変化があるか否かを判定する、請求項１５記載のシステム。
【請求項１７】
乗員用酸素システムにおける酸素ボンベの酸素圧を測定する圧力センサと、
前記乗員用酸素システムにおける酸素ボンベの酸素圧、大気温度及び操縦室温度を取得して、航空機空地データ通信システムＡＣＡＲＳにより転送される乗員酸素メッセージを生成する、ＡＣＭＳシステムの航空機総合データシステムＡＩＤＳのデータ管理ユニットＤＭＵ又はその一部と、
ＡＣＡＲＳからの前記乗員酸素メッセージを受信して、前記酸素ボンベにおける酸素の標準温度での圧力を取得することにより、前記乗員用酸素システムの性能を確定するサーバと、を含む、
乗員用酸素システムの性能検出システム。
【手続補正書】
【提出日】平成27年4月28日(2015.4.28)
【手続補正１】
【補正対象書類名】特許請求の範囲
【補正対象項目名】請求項１
【補正方法】変更
【補正の内容】
【請求項１】
カーカスとベルト補強構造を有するラジアル空気入りタイヤであって、前記ベルト補強構造は、中央周方向面に対して１０°以下の角度に配置された複数のコードを有する第１のベルト層と、前記タイヤの中央面に対して５°〜３０°に傾斜し各横縁部の所の折り返し点まで交互に延びる複数のコードの２つの層を形成するジグザグベルト補強構造と、を有する、空気入りタイヤにおいて、前記ジグザグベルト補強構造のベルト幅は、前記第１のベルト層よりも広く、定格圧力下における車輪フランジの間の幅（ＷＢＦ）と断面幅（Ｗ）との比は、０．６５から０．７の範囲内である、ラジアル空気入りタイヤ。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
インク・ジェット・プリント・ヘッドを形成するための装置であって、
下側のプレスカセットと上側のプレス板とを備えるプレスと、
離型剤と、
ガラス、シリコン、石英、サファイアおよび金属のうちの少なくとも１つを含む可とう性の上板であって、前記ガラス、シリコン、石英、サファイアおよび金属のうちの１つは約２５μｍと約１２，７００μｍとの間の厚さを有する可とう性の上板と、
プリント・ヘッド・ジェット・スタック・サブアッセンブリであって、複数の圧電素子の上に横たわりかつ覆っている未硬化の侵入型層を含むプリント・ヘッド・ジェット・スタック・サブアッセンブリとを備え、
前記離型剤および前記可とう性の上板は、前記未硬化の侵入型層と前記上側のプレス板との間へ挿入されており、
前記離型剤は、前記プリント・ヘッド・ジェット・スタック・アッセンブリと前記未硬化の侵入型層でのみ物理的に接触し、かつ前記複数の圧電素子は前記未硬化の侵入型層を介して露出していない装置。
【請求項２】
前記下側のプレスカセットが加熱されるように構成されている、請求項１に記載の装置。
【請求項３】
前記可とう性の上板が、ガラス、シリコン、石英およびサファイアのうちの１つを含み、前記可とう性の上板が約５００μｍと約９００μｍとの間の厚さを有する、請求項１に記載の装置。
【請求項４】
前記可とう性の上板が、約１ＭＰａと約３００ＭＰａとの間の曲げ弾性率を有する、請求項１に記載の装置。
【請求項５】
前記可とう性の上板が、約１０ＭＰａと約５０ＭＰａとの間の曲げ弾性率を有する、請求項１に記載の装置。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
媒体を支持するベルトであって、画像マーキングユニットの先にプロセス方向に前記ベルトを動かすための駆動機構に操作可能なように接続されており、中に複数の開口部を有している、前記ベルトと、
表面が前記ベルトより低く配置されており、真空供給部に操作可能なように接続されており、前記媒体を前記ベルトに保つために前記媒体に負圧をかけるように構成されている、真空プレナムと、
第２保持ローラからプロセスを横断する方向に間隔をあけた第１保持ローラを含んだ静電押下げ装置であって、前記第１保持ローラおよび前記第２保持ローラは、前記ベルトとかみ合うことができ、前記第１保持ローラは、前記媒体の前記内側寄りの端部をかみ合わせるように配置され、前記第２保持ローラは、前記媒体の前記外側寄りの端部をかみ合わせるように配置されており、前記第１保持ローラおよび前記第２保持ローラは、前記媒体の前記内側寄りの端部および前記外側寄りの端部を前記ベルトに静電気によって固定するために、前記媒体の前記端部に静電荷を付着させる、前記静電押下げ装置と、を含み、
前記第１保持ローラおよび前記第２保持ローラの位置は、前記プロセスを横断する方向に調整可能であり、
前記第１保持ローラおよび前記第２保持ローラは、前記媒体の前記幅に応じて、前記プロセスを横断する方向に前記ローラの位置を調節するための調整機構に操作可能なように接続されている、媒体シート搬送装置。
【請求項２】
前記第１保持ローラおよび前記第２保持ローラは、電源に操作可能なように結合されている、請求項１に記載の装置。
【請求項３】
前記調整機構は、回転式の作動装置に操作可能なように接続された送りねじを含み、前記回転式の作動装置の活性化によって、前記第１保持ローラおよび前記第２保持ローラの前記位置が変わる、請求項１に記載の装置。
【請求項４】
前記第１保持ローラおよび前記第２保持ローラは、導電性のハブを介して軸に回転自在に支持されている、請求項１に記載の装置。
【請求項５】
前記第１保持ローラおよび前記第２保持ローラは、それぞれ、ヨークアームに固定されており、前記ヨークアームは、前記内側寄りのローラおよび前記外側寄りのローラから前記送りねじへと伸びている、請求項４に記載の装置。
【請求項６】
前記ヨークアームのそれぞれは、電源と有効に滑るように動いて接触する弾性導体を含んでいる、請求項５に記載の装置。
【請求項７】
前記ベルトは、非導電性材料によって形成される、請求項１に記載の装置。
【請求項８】
前記軸には、前記ベルトの方へバイアスがかけられており、前記第１保持ローラおよび前記第２保持ローラは、前記ベルトの方へ促される、請求項４に記載の装置。
【請求項９】
前記プレナム表面は、ほぼ平坦であって、前記真空供給部と連通する複数の開口部を含む、請求項１に記載の装置。
【請求項１０】
前記保持ローラ間の前記ベルトの一部が、前記マーキング装置と位置合わせされる画像域を規定し、前記画像域には静電荷がない、請求項１に記載の装置。
【請求項１１】
シートに真空を当てることによってシートを移動ベルトに押下げることと、
第１保持装置を位置調整して、シートの内側寄りの端部とほぼ位置合わせすることと、
第２保持装置を位置調整して、シートの外側寄りの端部をほぼ位置合わせすることと、
第１保持ローラおよび第２保持ローラに電位を加えることと、
第１保持装置および第２保持装置の先にベルトによってシートを搬送することと、
シートの幅を決定してシートの幅に応じて第１保持装置および第２保持装置の位置を調節することと、
第１保持装置および第２保持装置によって、シート内側寄りの端部および外側寄りの端部に静電荷を付着させて、シート内側寄りの端部および外側寄りの端部をベルトに静電気によって固定することと、を含んだ、搬送マーキング装置の先に搬送するための媒体シート固定方法。
【請求項１２】
回転式の作動装置を活性化して第１保持装置および第２保持装置を位置調整することをさらに含む、請求項１１に記載の方法。
【請求項１３】
媒体を支持するベルトであって、画像マーキングユニットの先にプロセス方向に前記ベルトを動かすための駆動機構に操作可能なように接続されており、中に複数の開口部を有している、前記ベルトと、
表面が前記ベルトより低く配置されており、真空供給部に操作可能なように接続されており、前記媒体を前記ベルトに保つために前記媒体に負圧をかけるように構成されている、真空プレナムと、
第２保持ローラからプロセスを横断する方向に間隔をあけた第１保持ローラを含んだ静電押下げ装置であって、前記第１保持ローラおよび前記第２保持ローラは、前記ベルトとかみ合うことができ、前記第１保持ローラは、前記媒体の前記内側寄りの端部をかみ合わせるように配置され、前記第２保持ローラは、前記媒体の前記外側寄りの端部をかみ合わせるように配置されており、前記第１保持ローラおよび前記第２保持ローラは、前記媒体の前記内側寄りの端部および前記外側寄りの端部を前記ベルトに静電気によって固定するために、前記媒体の前記端部に静電荷を付着させる、前記静電押下げ装置と、を含み、
前記第１保持ローラおよび前記第２保持ローラは、導電性のハブを介して軸に回転自在に支持されている、媒体シート搬送装置。
【請求項１４】
前記第１保持ローラおよび前記第２保持ローラは、それぞれ、ヨークアームに固定されており、前記ヨークアームは、前記内側寄りのローラおよび前記外側寄りのローラから前記送りねじへと伸びている、請求項１３に記載の装置。
【請求項１５】
前記ヨークアームのそれぞれは、電源と有効に滑るように動いて接触する弾性導体を含んでいる、請求項１４に記載の装置。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
空気搬送システムに使用される流れパターン移行管であって、
軸方向で内径が漸次的に増大する第１の膨張管セクションと、
前記第１のセクションの最大内径端部から該第１のセクションに続いて、前記第１のセクションから離れて軸方向で内径が漸次的に減少する第２の収縮管セクションと、
前記第２のセクションの最小内径端部から該第２のセクションに続いて、前記第１のセクションの最小内径よりも小さい実質的に同一内径を有する第３の管セクションと、
を備え、前記第１のセクションの軸方向長さは、前記第２のセクションの前記軸方向長さの約３〜約５倍である、流れパターン移行管。
【請求項２】
空気搬送システムに使用される流れパターン移行管であって、
軸方向で内径が漸次的に増大する第１の膨張管セクションと、
前記第１のセクションの最大内径端部から該第１のセクションに続いて、前記第１のセクションから離れて軸方向で内径が漸次的に減少する第２の収縮管セクションと、
前記第２のセクションの最小内径端部から該第２のセクションに続いて、前記第１のセクションの最小内径よりも小さい実質的に同一内径を有する第３の管セクションと、
を備え、
前記流れパターン移行管が、キャリアガスを介して供給原材料を搬送するために前記空気搬送システムに使用されるときに、前記流れパターン移行管は、前記第１のセクションの最大内径端部においてソルテーション速度よりも低いキャリアガス速度と、前記第２のセクションの最小内径端部においてピックアップ速度よりも高いキャリアガス速度と、を可能にするよう構成される、流れパターン移行管。
【請求項３】
前記第２のセクションから離れた前記第３のセクションの端部から該第３のセクションに続いて、前記第３のセクションから離れて軸方向で内径が漸次的に増大する第４の膨張管セクションを更に備える、請求項１または２に記載の流れパターン移行管。
【請求項４】
前記第１のセクションの最小内径は、前記第４のセクションの最大内径と実質的に同じである、請求項３記載の流れパターン移行管。
【請求項５】
前記流れパターン移行管がキャリアガスを介して供給原材料を搬送するため空気搬送システムに使用されるときに、前記流れパターン移行管は、前記第１のセクションの最大内径端部においてソルテーション速度よりも低いキャリアガス速度を可能にするよう構成される、請求項１乃至４のいずれかに記載の流れパターン移行管。
【請求項６】
前記流れパターン移行管がキャリアガスを介して供給原材料を搬送するため空気搬送システムに使用されるときに、前記流れパターン移行管は、前記第２のセクションの最小内径端部においてピックアップ速度よりも高いキャリアガス速度を可能にするよう構成される、請求項１乃至５のいずれかに記載の流れパターン移行管。
【請求項７】
前記流れパターン移行管は、該流れパターン移行管を流れる供給原材料の流量ゆらぎを１０％未満に低減できるように構成される、請求項１乃至６のいずれかに記載の流れパターン移行管。
【請求項８】
請求項１乃至７のいずれかに記載の少なくとも１つの前記流れパターン移行管を備えた空気搬送システム。
【手続補正書】
【提出日】平成27年5月7日(2015.5.7)
【手続補正１】
【補正対象書類名】明細書
【補正対象項目名】００４３
【補正方法】変更
【補正の内容】
【００４３】
用語「２基の吸着器は並列に接続されて機能する」は、第１吸着器の第１２床が前記第１吸着器の第１床に接続され、同様に、第２吸着器の第１２床が前記第２吸着器の第１床に接続されることを意味する；
・１基の蒸留塔内で２つのラフィネートの混合物を蒸留する工程であって、蒸留塔の塔頂から、パラキシレンがなくなったキシレンの混合物が抜き出され、蒸留塔の底部から脱着剤が抜き出されて、該脱着剤は再循環させられてもよい、工程；
・１基または２基の蒸留塔内で２つのエキストラクトを蒸留する工程であって、蒸留塔の塔頂から実質的に純粋な（すなわち、純度９９．７重量％超の）パラキシレンが抜き出され、蒸留塔の底部から脱着剤が抜き出され、該脱着剤は再循環させられてもよい、工程。
【手続補正書】
【提出日】平成27年10月14日(2015.10.14)
【手続補正１】
【補正対象書類名】特許請求の範囲
【補正対象項目名】請求項１
【補正方法】変更
【補正の内容】
【請求項１】
糸貯蔵供給装置（１）であって、
前記糸（Ｆ）は、対応するボビンから引き出されて繊維機械に供給され、
前記装置（１）は、ケーシング（２）を有するとともに、自身のモータ（６）によって駆動される回転ドラム（５）を備え、
前記モータは、マイクロプロセッサのタイプであることが望ましい制御ユニット（３５）によって制御及び指令が行われ、
前記糸（Ｆ）は、ドラム（５）に巻き（７）の形で巻き付けられ、
前記ユニットは、前記糸（Ｆ）の動きを感知するために配置された光学センサ部材（１３）に接続され、
前記光学センサは、少なくとも一対の発光素子（１８Ａ、Ｂ、Ｃ、Ｄ）及び少なくとも一対の受光素子（３０Ａ、Ｂ、Ｃ、Ｄ）を備え、その間で光ビームが生成されて、移動する前記糸（Ｆ）によって遮断され、
前記光学センサ（１３）は、前記発光素子及び受光素子（１８、３０）が付随している固定部位（１６）を少なくとも１つ備え、
前記固定部位（１６）は、前記回転部材（５）と同軸上に位置し、環状であって、回転部材（５）の周りに位置し、
前記糸（Ｆ）は、前記部位（１６）及び前記部材（５）の間を移動し、
前記制御ユニット（３５）は、前記発光素子（１８;１８Ａ、Ｂ、Ｃ、Ｄ）及び前記受光素子（３０;３０Ａ、Ｂ、Ｃ、Ｄ）に接続され、前記電動モータ（６）の回転の方向及び速度の測定結果と、前記受光素子（３０;３０Ａ、Ｂ、Ｃ、Ｄ）からの電気信号とに基づいて制御を行うように構成され、
前記ユニットは、前記糸（Ｆ）が前記回転ドラム（５）に蓄積されている段階であるか、又は、前記糸（Ｆ）が前記ドラム（５）から引き出されているかを判定し、巻き（７）の数と前記繊維機械によって引き出された糸の量とを特定することによって、前記ドラム（５）上の糸の量を前記ユニットで判定することを可能としていることを特徴とする装置。
【手続補正２】
【補正対象書類名】明細書
【補正対象項目名】００２４
【補正方法】変更
【補正の内容】
【００２４】
給糸装置１は、給糸装置による操作の対象となる糸Ｆの量を計測する光学センサ１３を備える。センサ１３は、第１部位１５、及び第１部位を囲む第２部位１６を含む。第１部位は部位１７によって構成される（例えば、公知の任意の光透過材料でできた外側面２２において、全体又は一部が構成される）。第１部位は、回転ドラム５と同軸上に配置され、複数の発光部材、すなわち送信用のフォトダイオード１８を備える。部位１７は、チューブ１９を介してケーシング２によって支持されている。チューブ１９は、中空シャフト６Ａ内に位置し、一端１９Ａがこのケーシングに固定されている。センサ１３によって送受信される必要な信号を伝送するケーブルは、そのチューブ内を通って配置される。
【手続補正書】
【提出日】平成26年11月13日(2014.11.13)
【手続補正１】
【補正対象書類名】明細書
【補正対象項目名】００２２
【補正方法】変更
【補正の内容】
【００２２】
図７は、前記交差方向リップ６２の側面に凹部６２ａを設け、この凹部６２ａに前記アンダーシール５０の端部を嵌合させた例である。これにより、交差方向リップ６２とアンダーシール５０の結合が緊密になるからシール性が向上するし、仮にここに漏れが生じても、凹凸嵌合部によりさらなるラビリンス効果を得ることができる効果がある。
なお、補助リップ６０及びアンダーシール５０の断面形状はこの実施形態で使用した図示のものに限定されるものはない。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
（ａ）以下の式を有するアルキル化ベンゾイミダゾロン化合物
【化１】
2013104062.tif 000001
（式中、Ｒｃは、
（ｉ）以下の式を有する分岐した非置換アルキル基
【化２】
2013104062.tif 000002
（式中、ｍは７から１１の整数からなる群から選択される整数であり、ｐは５から９の整数からなる群から選択される整数である））と、
（ｂ）エチレングリコール、メタノール、エタノール、２−プロパノール、アニリン、安息香酸ベンジル、パラフィン油、２，２，４−トリメチルペンタン、１，２−ジメトキシエタン、キャノーラ油、ベンゼン、メシチレン、およびスチレンからなる群から選択される有機液と、
からなるオルガノゲル組成物。
【請求項２】
前記アルキル化ベンゾイミダゾロン化合物が、前記有機液中に、０．１〜１０重量％の量で存在する、請求項１に記載の組成物。
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
軸線方向に延びるとともに先端部が閉塞した筒状のシース管と、
先端が前記シース管内に位置し、後端が前記シース管の後端側へ突出するリード部材と、
抵抗発熱線からなり、前記シース管内に配設されるとともに、先端が前記シース管の先端と電気的に接続される発熱コイルと、
当該発熱コイルの後端側に接続され、前記リード部材の先端と電気的に接続される制御コイルと、を有するシースヒータを用いたグロープラグであって、
前記制御コイルは［１０００℃における比抵抗／２０℃における比抵抗］にて示される温度抵抗係数が２以上４以下であり、
かつ、前記発熱コイルは、Ｎｉ主成分とし、Ｗを３０〜３７重量％含む合金からなることを特徴とするグロープラグ。
【手続補正２】
【補正対象書類名】明細書
【補正対象項目名】０００９
【補正方法】変更
【補正の内容】
【０００９】
本発明のグロープラグの一態様は、軸線方向に延びるとともに先端部が閉塞した筒状のシース管と、先端が前記シース管内に位置し、後端が前記シース管の後端側へ突出するリード部材と、抵抗発熱線からなり、前記シース管内に配設されるとともに、先端が前記シース管の先端と電気的に接続される発熱コイルと、当該発熱コイルの後端側に接続され、前記リード部材の先端と電気的に接続される制御コイルと、を有するシースヒータを用いたグロープラグであって、前記制御コイルは［１０００℃における比抵抗／２０℃における比抵抗］にて示される温度抵抗係数が２以上４以下であり、かつ、前記発熱コイルは、Ｎｉ主成分とし、Ｗを３０〜３７重量％含む合金からなることを特徴とする。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
所定条件の成立に基づき当落判定を行い、該当落判定の結果に基づいて遊技者に所定の利益付与を行う主制御手段と、
前記主制御手段による当落判定の結果に基づいて図柄の変動表示および停止表示にかかる制御を行い、該図柄の変動表示および停止表示を通じて前記主制御手段による当落判定の結果を遊技者に示す演出制御手段と、を備え、
前記演出制御手段は、
遊技者側から見て相対的に手前側に配置される第１表示体および遊技者側から見て相対的に奥側に配置される第２表示体を有し、これら第１表示体および第２表示体それぞれにおいて図柄の変動表示を行うことが可能に構成され、
前記第１表示体において前記主制御手段による当落判定の結果を示す当落図柄に関する変動表示を行うとともに、前記第２表示体において前記主制御手段による当落判定の結果に基づく演出に用いられる演出図柄に関する変動表示を行う図柄別変動実行手段を有する
ことを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、発光にかかる制御を行う発光制御手段をさらに備えることを特徴とする遊技機。
【手続補正２】
【補正対象書類名】明細書
【補正対象項目名】００１１
【補正方法】変更
【補正の内容】
【００１１】
ここで、第１種の遊技機において、単に第２種の遊技機の利点を取り入れる等した遊技機が知られているが、このような手法はいわばマンネリ化しており興趣の低下を招いている実情にある。
【手続補正３】
【補正対象書類名】明細書
【補正対象項目名】００１２
【補正方法】変更
【補正の内容】
【００１２】
そこで、本願発明の課題は、興趣の低下を抑制することが可能な遊技機を提供することにある。
【手続補正４】
【補正対象書類名】明細書
【補正対象項目名】００１３
【補正方法】変更
【補正の内容】
【００１３】
かかる課題を解決するために、本願発明にかかる請求項１は、所定条件の成立に基づき当落判定を行い、該当落判定の結果に基づいて遊技者に所定の利益付与を行う主制御手段と、前記主制御手段による当落判定の結果に基づいて図柄の変動表示および停止表示にかかる制御を行い、該図柄の変動表示および停止表示を通じて前記主制御手段による当落判定の結果を遊技者に示す演出制御手段と、を備え、前記演出制御手段は、遊技者側から見て相対的に手前側に配置される第１表示体および遊技者側から見て相対的に奥側に配置される第２表示体を有し、これら第１表示体および第２表示体それぞれにおいて図柄の変動表示を行うことが可能に構成され、前記第１表示体において前記主制御手段による当落判定の結果を示す当落図柄に関する変動表示を行うとともに、前記第２表示体において前記主制御手段による当落判定の結果に基づく演出に用いられる演出図柄に関する変動表示を行う図柄別変動実行手段を有することを特徴とする。
また、請求項２に記載の発明は、請求項１に記載の遊技機において、音の出力にかかる制御を行う音出力制御手段をさらに備えることを特徴とする。
また、請求項３に記載の発明は、発光にかかる制御を行う発光制御手段をさらに備えることを特徴とする。
【手続補正５】
【補正対象書類名】明細書
【補正対象項目名】００１４
【補正方法】変更
【補正の内容】
【００１４】
本発明によれば、興趣の低下を抑制することが可能となる遊技機を提供することができる。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
特別図柄の変動条件が成立した場合、大当たり抽選を行い特別図柄を変動させる主制御部と、
前記主制御部により大当たり抽選が行われる場合、前記主制御部からの制御信号に基づいて、前記特別図柄に対応する装飾図柄を表示画面上に表示する演出制御部とを備えた遊技機において、
前記演出制御部は、
前記表示画面上の表示領域内に前記装飾図柄を変動表示させる変動開始手段と、
前記変動表示させた装飾図柄を順次停止表示させる変動停止手段と、
前記順次停止表示される装飾図柄にともない特定図柄が予め定められた表示領域内に表示された場合、予め定められた特定演出を開始することを通知する演出を行う特定演出移行通知手段と、
を備え、
前記特定演出は、前記予め定められた表示領域内に前記特定図柄が複数回表示されうるものであり、前記特定図柄が表示された回数に応じて前記特定演出後に行われる発展演出の信頼度が異なる
ことを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正２】
【補正対象書類名】明細書
【補正対象項目名】０００７
【補正方法】変更
【補正の内容】
【０００７】
しかしながら、従来のパチンコ機では、遊技に対する興趣が低下するおそれがあった。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
そこで、本願発明の課題は、遊技に対する興趣の低下を抑制することを目的とする。
【手続補正７】
【補正対象書類名】明細書
【補正対象項目名】００１２
【補正方法】変更
【補正の内容】
【００１２】
かかる課題を解決するために、本願発明は、
特別図柄の変動条件が成立した場合、大当たり抽選を行い特別図柄を変動させる主制御部と、
前記主制御部により大当たり抽選が行われる場合、前記主制御部からの制御信号に基づいて、前記特別図柄に対応する装飾図柄を表示画面上に表示する演出制御部とを備えた遊技機において、
前記演出制御部は、
前記表示画面上に複数の表示領域を表示する領域表示手段と、
前記複数の表示領域内に前記装飾図柄を独立して変動表示させる変動開始手段と、
前記変動表示させた装飾図柄を順次停止表示させる変動停止手段と、
前記順次停止表示される装飾図柄にともない特定図柄を予め定められた表示領域内に表示された場合、予め定められた特定演出を開始することを通知する演出を行う特定演出移行通知手段と、
を備え、
前記特定演出は、前記予め定められた表示領域内に前記特定図柄が複数回表示されうるものであり、前記特定図柄が表示された回数に応じて前記特定演出後に行われる発展演出の信頼度を示唆する
ことを特徴とする。
【手続補正８】
【補正対象書類名】明細書
【補正対象項目名】００１３
【補正方法】変更
【補正の内容】
【００１３】
本発明にかかる遊技機によれば、遊技に対する興趣の低下を抑制することができる。
【手続補正書】
【提出日】平成27年2月12日(2015.2.12)
【手続補正１】
【補正対象書類名】明細書
【補正対象項目名】００２７
【補正方法】変更
【補正の内容】
【００２７】
【表１】
2013078376.tif 000001
【手続補正２】
【補正対象書類名】明細書
【補正対象項目名】０２３５
【補正方法】変更
【補正の内容】
【０２３５】
【表３】
2013078376.tif 000002
【手続補正３】
【補正対象書類名】明細書
【補正対象項目名】０２５６
【補正方法】変更
【補正の内容】
【０２５６】
［例６］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。
測定は、機器が自動で行うが、表面張力γは、以下の式により求められる（図２４を参照）。
【手続補正４】
【補正対象書類名】特許請求の範囲
【補正対象項目名】全文
【補正方法】変更
【補正の内容】
【特許請求の範囲】
【請求項１】
肌側に設けられた液透過性のトップシートと、着衣側に設けられた液不透過性のバックシートと、該トップシートと該バックシートとの間に設けられた液保持性の吸収体とを備えた吸収性物品であって、
前記トップシートの少なくとも肌側の面の少なくとも一部が、肌側の面に滑剤層が形成された樹脂フィルムで形成されており、
前記滑剤層は、撥水性および／または撥油性を有し、
前記滑剤層の滑剤が、０〜０．６０のＩＯＢと、４５℃以下の融点と、２５℃の水１００ｇに対する、０．０５ｇ以下の水溶解度とを有する血液改質剤である、
前記吸収性物品。
【請求項２】
前記血液改質剤が、
（ｉ）炭化水素、
（ｉｉ）炭化水素のＣ−Ｃ単結合間に、少なくとも１つのカルボニル結合（−ＣＯ−）および／もしくは少なくとも１つのエーテル結合（−Ｏ−）が挿入された化合物、または
（ｉｉｉ）炭化水素のＣ−Ｃ単結合間に、少なくとも１つのカルボニル結合（−ＣＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ）または（ｉｉｉ）の化合物において、エーテル結合が２つ以上挿入されている場合には、エーテル結合同士は隣接していない、
請求項１に記載の吸収性物品。
【請求項３】
前記血液改質剤が、
（ｉ’）炭化水素、
（ｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入された化合物、または
（ｉｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ’）または（ｉｉｉ’）の化合物において、２以上の結合が挿入されている場合には、各結合は隣接していない、
請求項１または２に記載の吸収性物品。
【請求項４】
前記血液改質剤が、
（Ａ）２〜４個のヒドロキシル基を有する化合物と、１個のカルボキシル基を有する化合物とのエステル、
（Ｂ）２〜４個のヒドロキシル基を有する化合物と、１個のヒドロキシル基を有する化合物とのエーテル、
（Ｃ）２〜４個のカルボキシル基を有する化合物と、１個のヒドロキシル基を有する化合物とのエステル、
（Ｄ）炭化水素に、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つが挿入された化合物、
（Ｅ）ポリＣ2〜6アルキレングリコール、またはそのエステルもしくはエーテル、あるいは
（Ｆ）鎖状炭化水素、
である、請求項１〜３のいずれか１項に記載の吸収性物品。
【請求項５】
前記血液改質剤が、（Ａ1）鎖状炭化水素テトラオールと脂肪酸とのエステル、（Ａ2）鎖状炭化水素トリオールと脂肪酸とのエステル、（Ａ3）鎖状炭化水素ジオールと脂肪酸とのエステル、（Ｂ1）鎖状炭化水素テトラオールと脂肪族１価アルコールとのエーテル、（Ｂ2）鎖状炭化水素トリオールと脂肪族１価アルコールとのエーテル、（Ｂ3）鎖状炭化水素ジオールと脂肪族１価アルコールとのエーテル、（Ｃ1）４個のカルボキシル基を有する鎖状炭化水素テトラカルボン酸、ヒドロキシ酸、アルコキシ酸またはオキソ酸と、脂肪族１価アルコールとのエステル、（Ｃ2）３個のカルボキシル基を有する鎖状炭化水素トリカルボン酸、ヒドロキシ酸、アルコキシ酸またはオキソ酸と、脂肪族１価アルコールとのエステル、（Ｃ3）２個のカルボキシル基を有する鎖状炭化水素ジカルボン酸、ヒドロキシ酸、アルコキシ酸またはオキソ酸と、脂肪族１価アルコールとのエステル、（Ｄ1）脂肪族１価アルコールと脂肪族１価アルコールとのエーテル、（Ｄ2）ジアルキルケトン、（Ｄ3）脂肪酸と脂肪族１価アルコールとのエステル、（Ｄ4）ジアルキルカーボネート、（Ｅ1）ポリＣ2〜6アルキレングリコール、（Ｅ2）ポリＣ2〜6アルキレングリコールと脂肪酸とのエステル、（Ｅ3）ポリＣ2〜6アルキレングリコールと脂肪族１価アルコールとのエーテル、（Ｅ4）ポリＣ2〜6アルキレングリコールと、鎖状炭化水素テトラカルボン酸、鎖状炭化水素トリカルボン酸、または鎖状炭化水素ジカルボン酸とのエステル、（Ｅ5）ポリＣ2〜6アルキレングリコールと、鎖状炭化水素テトラオール、鎖状炭化水素トリオール、または鎖状炭化水素ジオールとのエーテル、および（Ｆ1）鎖状アルカンから成る群から選択される、請求項１〜４のいずれか１項に記載の吸収性物品。
【請求項６】
前記トップシートは、断面が略波状になるように曲げられることによって形成された、並列に配置された複数の突条部と、隣接する該突条部の間に配置された底部とを備え、
前記突条部は、前記突条部の延びる方向に並ぶ複数の開口部を有する壁部を含む請求項１〜５のいずれか１項に記載の吸収性物品。
【請求項７】
前記トップシートの少なくとも着用者の体液の排出口に対向する領域は、肌側の面に前記滑剤層が形成された前記樹脂フィルムで形成されており、
少なくとも着用者の体液の排出口に対向する領域で、前記トップシートと前記吸収体とは接合されていない請求項１〜６のいずれか１項に記載の吸収性物品。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
特別図柄の変動条件が成立した場合、特別図柄を変動して大当たり抽選を行う主制御手段と、前記主制御手段により大当たり抽選が行われる場合、前記主制御手段からの制御信号に基づいて、前記特別図柄に対応し変動表示ゲームを実行する演出制御手段とを備えた遊技機において、
前記演出制御手段にて実行される前記変動表示ゲームは、複数の図柄列のそれぞれの図柄列に複数種類の図柄を変動させて実行され、
前記複数の図柄列は、少なくとも第１図柄列と第２図柄列、第３図柄列の３つの図柄列を含み、前記第１図柄列と第２図柄列、第３図柄列に表示された図柄の組合せによって前記抽選の結果を認識可能に表示し、
前記抽選の結果を示唆する特定演出として、前記第１図柄列と前記第２図柄列に特定の図柄が表示されたことに応じて、特定演出示唆表示を表示可能であり、
前記特定演出示唆表示の導出時は、前記第３図柄列に前記複数種類の図柄の変動は実行を抑制し、前記特定演出示唆表示が導出表示されたことにあわせ特定演出を実行することを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正２】
【補正対象書類名】明細書
【補正対象項目名】０００２
【補正方法】変更
【補正の内容】
【０００２】
従来、第１リール（左リール）、第２リール（中リール）及び第３リール（右リール）を表示画面上に表示し、遊技球が始動口に入球したことを条件として、第１〜第３リールを回転させて特別図柄に対応する装飾図柄を変動表示させる遊技機がある。
遊技機は、第１〜第３リールを回転させて装飾図柄を変動表示させた後、第１リール、第３リール、第２リールの順に、第１〜第３リールの回転を順次停止させ、第１〜第３リール内の装飾図柄を順次停止表示させる。
【手続補正３】
【補正対象書類名】明細書
【補正対象項目名】０００３
【補正方法】変更
【補正の内容】
【０００３】
遊技機は、第１及び第３リールの回転を停止させて、第１及び第３リール内の装飾図柄を停止表示させた段階で、第１及び第３リール内の装飾図柄が同一図柄となりテンパイした状態となった場合、リーチ演出等の各種演出を行うことにより、遊技者の遊技意欲を盛り上げることができる。
また、遊技機は、第１〜第３リールの回転を停止させて、第１〜第３リール内の装飾図柄を全て停止表示させた段階で、停止表示させた第１〜第３リール内の装飾図柄が予め定められた図柄役と一致している場合、遊技者に賞球を払い出すことができる。
【手続補正４】
【補正対象書類名】明細書
【補正対象項目名】０００４
【補正方法】変更
【補正の内容】
【０００４】
従って、遊技者は、第１〜第３リールの回転により第１〜第３リール内で変動表示している装飾図柄が何れの装飾図柄で停止表示するかについて、興味を持って遊技することになる。
【手続補正５】
【補正対象書類名】明細書
【補正対象項目名】０００５
【補正方法】変更
【補正の内容】
【０００５】
特許文献１には、役抽選手段による抽選結果に応じて、規定値テーブルに設定されている該当する規定値を選択し、選択した規定値に基づいて演算処理を行って算出した演算値が達成値に達した場合に、所定の演出に移行させるようにしたので、遊技における演出を変化に富むものにして、遊技の趣向性を向上させようとする遊技機が開示されている。この特許文献１によれば、役抽選手段の抽選結果に基づく遊技機の出球に関する遊技の他に、遊技機の出球に関係ない部分で、所定の演出に移行させるゲームが実現されるとしている。
【手続補正６】
【補正対象書類名】明細書
【補正対象項目名】０００６
【補正方法】変更
【補正の内容】
【０００６】
【特許文献１】特開２００７−３１２８４３号公報
【手続補正７】
【補正対象書類名】明細書
【補正対象項目名】０００７
【補正方法】変更
【補正の内容】
【０００７】
ところで、遊技者は、第１及び第３リール停止時に装飾図柄がテンパイすれば、第２リール内で停止表示された装飾図柄によっては第１〜第３リール内の装飾図柄が予め定められた図柄役と一致するので、テンパイするか否かの分かれ目である第３リール停止時と、テンパイした場合には図柄役が揃うか否かの分かれ目である第２リール停止時に、期待を込めてその停止した装飾図柄に注目する。
【手続補正８】
【補正対象書類名】明細書
【補正対象項目名】０００８
【補正方法】変更
【補正の内容】
【０００８】
従って、遊技者は第１図柄列（第１リール）停止時に注目することはなく、第１図柄列（第１リール）内で停止表示された装飾図柄が何かによって一喜一憂することはない。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
そこで、本願発明の課題は、第１図柄列を効果的に機能させて第１図柄列の存在意義を確立させることにより、遊技性を向上させ得る遊技機を提供することにある。
【手続補正１２】
【補正対象書類名】明細書
【補正対象項目名】００１２
【補正方法】変更
【補正の内容】
【００１２】
特別図柄の変動条件が成立した場合、特別図柄を変動して大当たり抽選を行う主制御手段と、前記主制御手段により大当たり抽選が行われる場合、前記主制御手段からの制御信号に基づいて、前記特別図柄に対応し変動表示ゲームを実行する演出制御手段とを備えた遊技機において、
前記演出制御手段にて実行される前記変動表示ゲームは、複数の図柄列のそれぞれの図柄列に複数種類の図柄を変動させて実行され、
前記複数の図柄列は、少なくとも第１図柄列と第２図柄列、第３図柄列の３つの図柄列を含み、前記第１図柄列と第２図柄列、第３図柄列に表示された図柄の組合せによって前記抽選の結果を認識可能に表示し、
前記抽選の結果を示唆する特定演出として、前記第１図柄列と前記第２図柄列に特定の図柄が表示されたことに応じて、特定演出示唆表示を表示可能であり、
前記特定演出示唆表示の導出時は、前記第３図柄列に前記複数種類の図柄の変動は実行を抑制し、前記特定演出示唆表示が導出表示されたことにあわせ特定演出を実行することを特徴とする遊技機。
【手続補正１３】
【補正対象書類名】明細書
【補正対象項目名】００１３
【補正方法】変更
【補正の内容】
【００１３】
本発明によれば、第１図柄列を効果的に機能させて第１図柄列の存在意義を確立させることにより、遊技性を向上させ得る遊技機を提供することができる。